(57)【要約】【課題】  使用時にはワンタッチでゴミ袋が容易に着脱でき、ゴミの投入がしやすく、未使用時には折り畳める容器の要らない折り畳みゴミ袋の口保持傾斜スタンドを提供する。【解決手段】  堅牢で成形可能なL形の鋼材で上部より下部を任意の寸法広げた梯形コの字形に成形した内枠１の外側に、同じく平形の鋼材で梯形コの字形に成形した外枠２をＸ字形立設状態で内枠１上面より任意の寸法上面を高く設定して外設し、中間部分を回動可能に軸３と軸止め４で軸着し、内枠１と外枠２の上部片側に内枠切欠５と外枠切欠６を設け、内枠１片側の軸着付近下部に開き防止ストッパー７を固着する。【選択図】図１
0003172323.tif 000002
【実用新案登録請求の範囲】
【請求項１】
成形可能なL形の鋼材で上部より下部を任意の寸法広げた梯形コの字形に成形した内枠の外側に、同じく平形の鋼材で梯形コの字形に成形した外枠をＸ字形立設状態で内枠上面より任意の寸法上面を高く設定して外設し、中間部分を回動可能に軸と軸止めで軸着し、内枠、外枠の上部片側に内枠切欠と外枠切欠を設け、内枠片側の軸着付近下部に開き防止ストッパーを固着したことを特徴とする折り畳みゴミ袋の口保持傾斜スタンド。
【請求項２】
L 形の内枠と平形の外枠を合成樹脂で一体成形したことを特徴とする請求項１に記載の折り畳みゴミ袋の口保持傾斜スタンド。
【考案の詳細な説明】
【技術分野】
【０００１】
本考案は、梯形コの字形のL 形で成形した内枠に同形の平形で成形した外枠を外設して回動可能に軸着し、Ｘ字形立設状態において内枠の上面より外枠上面を任意の寸法高くすることによりゴミ袋の着脱とゴミの投入が容易な容器の要らない折り畳みゴミ袋の口保持傾斜スタンドに関するものである。
【背景技術】
【０００２】
本考案者は、先に容器の要らない折り畳みゴミ袋の口保持傾斜スタンドとして、素材に四角形の木材を用いて、上外横枠と左右外縦枠を皿木ネジ又は木ダボで結合してなる上部より下部を任意の寸法広げた梯形コの字形の外枠に、Ｘ字形立設状態で外枠上面より任意の寸法上面を低く設定した上内横枠と左右内縦枠５を同じく皿木ネジ又は木ダボで結合した梯形コの字形の内枠を内設し、中間部分を回動可能に皿小ネジと爪付ナットで座金を介して軸着し、外枠、内枠の左右縦枠の上部両側に上外、内横枠の下面延長線上の下部に切欠を設ける形態と、用途に応じて外枠と内枠に木材以外の棒鋼、鋼管、アルミ管、合成樹脂等の素材を用いて一体製作する形態を提案している。（特許文献１）。
【０００３】
平成２３年９月２６付の日刊工業新聞に「土のうづくり一人で」の記事が掲載されている。新潟県の三条商工会議所が開発したもので、計画されたスタンドは鉄製で、スタンドの内側に袋を入れ、袋の口の周りをスタンドに被せ、袋のひもをスタンド上部のフック部分に縛ることにより袋の口が開いた状態でスタンドに固定されるため一人で楽に土が詰められる形態である。既に、試作品は東日本大震災の被災地である福島県相馬市に寄贈されている。又、７月に記録的豪雨に見舞われた三条市でも実際使われたとのことである。以上より、袋に土を入れる土のう詰めには通常二人がかりで、一人が袋を広げて、もう一人がスコップで土を入れる共同作業のため、二人の動きが合わないと作業効率が悪くなる。現在、一般に行われている一人で行う土のうづくりは、バケツ、オイル缶等を筒の状態に加工し、上部に袋の口を被せておきスコップで土を投入する方法である。
【先行技術文献】
【特許文献】
【０００４】
【特許文献１】登実案第３１６６２１１号
【非特許文献】
【０００５】
【非特許文献１】日刊工業新聞平成２３年９月２６日付記事
【考案の概要】
【考案が解決しようとする課題】
【０００６】
先の提案では、素材が木材で使用場所が屋外の場合には、長く使用していると雨、土等で汚れが目立ち変形する可能性もあるので、使用する木材は変形が少なく一定の強度が必要な為に限定され、間伐材、端材等は使用ができない。更に、部材の結合による構成となるので製作工程多く量産には適していない製品であることが判明した。又、木材以外の棒鋼、鋼管、アルミ管等は外枠、内枠の曲げ加工が容易に行えないことも判明した。従って、考案が解決しようとする課題は、対候性と強度を有し曲げ加工が容易な折り畳みゴミ袋の口保持傾斜スタンドを提供することである。
【０００７】
三条商工会議所開発製品は、土のう詰め作業には効率はよいが折り畳みができないならば不使用時の保管、現場への移送に問題が生じることが考えられる。又、投入口が地面と平行なので投入時にはスコップの位置を高くしなければならず繰り返して作業を行う場合には負担になることが考えられる。又、筒状の用具を使用した場合には、袋に入った土で袋の腹が筒に当たり、袋を取り出す時に力を要し簡単には取り出せないのが実状である。
【課題を解決するための手段】
【０００８】
上記の課題を解決するための手段は、成形可能なL形の鋼材で上部より下部を任意の寸法広げた梯形コの字形に成形した内枠の外側に、同じく平形の鋼材で梯形コの字形に成形した外枠をＸ字形立設状態で内枠上面より任意の寸法上面を高く設定して外設し、中間部分を回動可能に軸と軸止めで軸着し、内枠と外枠の上部片側に内枠切欠と外枠切欠を設け、内枠片側の軸着付近下部に開き防止ストッパーを固着る。
【０００９】
L 形の内枠と平形の外枠を合成樹脂で一体成形する。
【考案の効果】
【００１０】
本考案の折り畳みゴミ袋の口保持傾斜スタンドは、内枠をL形、外枠を平形の形状素材を用いることにより小断面の素材で必要強度が保てる。又、折り畳み形式なので、使用時にはワンタッチで設置でき、袋の口を装着する切欠が外枠、内枠共に鋭角となるのでゴミ袋が確実に装着でき投入口が傾斜しているのでゴミが入れやすい。作業途中でスタンドを移動させる場合においても、ゴミ袋の口が切欠でしっかりと張設されているので外れにくく、取り外しも両枠を少し狭めて袋の口を枠から外してスタンドを上に持ち上げれば、両枠の下部が上部より広いので袋と両枠が干渉することなく容易に行うことができる。又、土嚢袋等の口紐付の袋は、紐が切欠に入り込むのでスタンドから外れることはない。未使用時には外枠と内枠が回動して一体となるので保管と持ち運びが容易に行える。尚、本スタンドは、袋の口を開口保持する目的の考案であり、袋に入れられた物の荷重は地面で受け、両枠は袋の形状を保持する役割として高さ寸法を設定する。従って、寸法を高くして切欠で袋を吊り下げるのは袋の口が破れたり外れたりする恐れがあるので避けたほうがよい。
【００１１】
使用する鋼材には、ステンレス（SUS）、鉄（SS）、アルミ（AI）等がある。ステンレスは高価格であるが強度があり塗装の必要が無いので屋外で土、廃材等の重量物を入れる土嚢袋等を使用するのに適している。鉄は低価格で強度もあるが塗装をしなくてはならない反面多様な色を選択できるのであらゆる場所に使用できる。アルミの価格は、ステンレスより安く鉄よりは高いが軽量（ステンレス、鉄の約３０％）であるので強度は劣る。但し、塗装を必要とせず美観も優れているので、とくに屋内で紙、化成品等の軽量ゴミを入れるのには最適である。従って、ステンレス、鉄、アルミをそれぞれの使用目的によって選定して有効に活用すればよい。又、合成樹脂製は、軽く強度もあり型成形ができるので、既成の鋼材で対応できない形状と寸法での製作が可能であり大量生産に向いている。
【００１２】
素材が鋼材又は合成樹脂製のため屋内外を問わずあらゆる場所で使用でき、袋が容器を兼用するので投入物が多く入り透明か半透明の袋を使用すれば内容物が外から確認できるので安全性が高く管理もしやすい。尚、袋の口受け部の切欠は外枠、内枠共片側で、開く場合には一方向のみであるが内枠片側に開き防止ストッパーを設けることにより反対方向には開かず、袋の装着方向に対しては一定以上には開かないので全開することは無い。
【００１３】
スタンドの大きさは袋の寸法により決まる。通常市販されているのは、家庭及び事業所用の容量４５Ｌ，７０Ｌ、９０Ｌのポリ袋及び主に事業所及び産業用のＰＥ製土嚢袋、ＰＰ製ガラ袋等の規格製品である。従って、それぞれの袋の規格に合わせての製作は、形状は同一なので寸法を変えるだけで容易に対応できる。
【図面の簡単な説明】
【００１４】
【図１】折り畳みゴミ袋の口保持傾斜スタンドの斜視図である。
【図２】折り畳みゴミ袋の口保持傾斜スタンドの折り畳んだ平面図である。
【図３】折り畳みゴミ袋の口保持傾斜スタンドにゴミ袋を装着した正面図である。
【考案を実施するための形態】
【００１５】
鋼材又は合成樹脂を用い、L形形状で成形した梯形コの字形内枠に平形形状で成形した梯形コの字形外枠を外設し、Ｘ字形立設状態で内枠上面より外枠上面を任意の寸法高く設定して中間部分を回動可能に軸着する。外枠と内枠の外側上部にはそれぞれ片方に切欠を設け、内枠片側の軸着付近下部に開き防止用のストッパーを設ける。
【実施例１】
【００１６】
図１は、L形と平形の素材を用いた折り畳みゴミ袋の口保持傾斜スタンドの斜視図である。L形の素材を用いて成形した梯形コの字形の内枠１に、平形の素材を用い内枠１の上面より任意の寸法高くして成形した同形の外枠２を外設し回動可能に軸３と軸止め４で軸着する。内枠１と外枠２の両側上部片側には両枠を開いたときにゴミ袋の口が係止する内枠切欠５と外枠切欠６をそれぞれ設ける。内枠１片側の軸着付近下部に開き防止用ストッパー７を設けることにより、外枠２の縦面側部に干渉して一定以上は開かない。
【実施例２】
【００１７】
図２は、L形と平形の素材を用いた折り畳みゴミ袋の口保持傾斜スタンドの折り畳んだ平面図である。L形内枠１の幅と同一幅寸法の平形外枠２の素材を用いることにより折り畳んだ時に一体化できる。Ａ−Ａ断面はL形の内枠１と平形の外枠２の軸着部の断面図である。内枠１の形状がL形の為、梯形コの字形が強固に成形される。従って、外枠２の形状が平形であってもバランスのとれたスタンドが形成される。B−B断面は内枠１の軸着付近下部にストッパー７を固着した断面図である。ストッパー７の縦面端部と外枠２の縦面側部が干渉して内枠切欠５と外枠切欠６が作用しない方向には開かない。又、内枠切欠５と外枠切欠６を袋の装着方向に開いた時には、ストッパー７の上面を軸着部分より任意の寸法下げることにより外枠２の縦面側部を干渉させて一定以上開かないようにさせる。尚、ストッパー７の内枠１への固着は溶接又はピン、ボルト、リベット等を使用して確実に固着できればいずれであってもよい。尚、ストッパー７の固着は内枠１の片側のみとする。
【実施例３】
【００１８】
図３は、L形と平形の素材を用いた折り畳みゴミ袋の口保持傾斜スタンドに一般のゴミ袋Aを装着した正面図である。内枠１と外枠２の上面が傾斜しているので、内枠切欠４と外枠切欠５が鋭角となりゴミ袋の口が入り込んだ状態で係止する。従って、ゴミ袋Aの口は内枠切欠４と外枠切欠５で確実に張設されるのでゴミ袋Aにゴミを入れた状態で持ち上げても外れにくく、投入口も傾斜しているのでゴミも入れやすい。又、土嚢袋に代表される口紐付きの袋は、口紐が内枠切欠４と外枠切欠５に入り込むので袋の口は確実に保持された状態となる為に外れることは無い。ゴミ投入後のゴミ袋Aの取り外しは、内枠１と外枠２の上部を少し狭めてゴミ袋Aの口を内枠切欠５と外枠切欠６枠から外し、両枠を上に持ち上げればゴミ袋Aのみが残るので容易に取り外すことができる。尚、本スタンドは、袋の口を開口保持する目的の考案であり、袋に入れられた物の荷重は地面で受ける寸法の設定をするのが望ましい。寸法を高くして切欠で袋を吊り下げる状態では、袋が弱い場合には袋の口が破れスタンドにも荷重がかかるので特別な場合を除いては避けた方がよい。
【産業上の利用可能性】
【００１９】
ゴミは家庭内外、道路沿い、公園、河川敷、事務所、工場、公共施設、各種イベント等あらゆる場所で発生する。これらのゴミはほとんどゴミ袋に入れられる。ゴミ袋には一般に使用されているポリ袋と、産業用として工事現場とか災害現場で多く使用されている口紐付のＰＥ製土嚢袋とＰＰ製のガラ袋がある。本提案の折り畳みゴミ袋の口保持傾斜スタンドは従来の各種スタンドと比較すると、ゴミの収集時においてはスタンドの開閉とゴミ袋の着脱が容易に行えると共に袋内のゴミも外から確認できるので安全性が高く、作業も効率的に行うことができる。従って、あらゆる場所で発生するゴミに対しての利用の可能性は高い。更に、構造が簡単なので製作工程も少なく、使用材料費の差はあるが、それぞれを目的に応じて選定すれば、最小材料で最大効果が得られるゴミ袋スタンドを安価にて提供することが出来る。
【００２０】
使用する素材にステンレス鋼を使用すれば耐久性、対候性、美観性とすべてが優れているので屋内外あらゆる場所での使用が可能である。特に、災害時において土嚢袋は準備、対応、後片付け等に必需品であり、通常は二人一組で土嚢袋に対処しているが、本提案の折り畳みゴミ袋の口保持傾斜スタンドを使用すれば一人での作業が可能となり、投入口が傾斜しているので作業効率が大幅に向上する。又、ワンタッチ感覚組み立てと折り畳みが行えるのと、不使用時には折り畳むことにより保管場所が少なくて済み移送も容易に行える。
【符号の説明】
【００２１】
１    内枠
２    外枠
３    軸
４    軸止め
５    内枠切欠
６    外枠切欠
７    開き防止ストッパー
A    ゴミ袋
【図１】
0003172323.tif 000003
【図２】
0003172323.tif 000004
【図３】
0003172323.tif 000005